(57)【要約】【課題】マイクロチップの流路内において一定量の液体を加熱して、所望の化学反応を得るに際し、蒸発に伴う液量の減少・濃縮、液の移動、気泡の発生が生じないようにし、検体の安定した検出を図る。【解決手段】平面板内に形成された微細な反応流路３５を有するマイクロ流体チップ２００に対して、反応流路３５に溜められた液体の温度を制御するマイクロ流体チップ２００の温調方法であって、反応流路３５を所定の反応温度に加熱すると同時に、反応流路３５の一端に連通する第１の流路４９ａと反応流路の他端に連通する第２の流路４９ｂとを、加熱又は冷却によって所定の反応温度と異なる同一の温度に保持する。【選択図】図２
2008151772.tif 000002
【特許請求の範囲】
【請求項１】
平面板内に形成された微細な反応流路を有するマイクロ流体チップに対して、前記反応流路に溜められた液体の温度を制御するマイクロ流体チップの温調方法であって、
前記反応流路を所定の反応温度に加熱すると同時に、
前記反応流路の一端に連通する第１の流路と前記反応流路の他端に連通する第２の流路とを、加熱又は冷却によって前記所定の反応温度と異なる同一の温度に保持することを特徴とするマイクロ流体チップの温調方法。
【請求項２】
請求項１記載のマイクロ流体チップの温調方法において、
前記第１の流路と前記第２の流路とを、前記反応温度よりも低い温度に温調することを特徴とするマイクロ流体チップの温調方法。
【請求項３】
請求項２記載のマイクロ流体チップの温調方法において、
前記温調する温度が、２０〜３０℃とすることを特徴とするマイクロ流体チップの温調方法。
【請求項４】
請求項１〜３のいずれか１項記載のマイクロ流体チップの温調方法において、
前記第１の流路から前記反応流路へ液体が注入された後、
前記加熱前に、前記第１の流路から液体を排除して前記反応流路のみに液体を残留させることを特徴とするマイクロ流体チップの温調方法。
【請求項５】
請求項１〜４のいずれか１項記載のマイクロ流体チップの温調方法において、
前記加熱の前に、前記第１の流路と前記第２の流路とに連通する開口部を密閉することを特徴とするマイクロ流体チップの温調方法。
【請求項６】
平面板内に形成された微細な反応流路、及び該反応流路の一端に連通する第１の流路、及び前記反応流路の他端に連通する第２の流路を形成したマイクロ流体チップと、
前記反応流路に注入された液体の温度を制御する第１の温調手段と、
前記第１の流路と前記第２の流路の温度を制御する第２の温調手段と、
を具備したことを特徴とする検体分析システム。
【請求項７】
請求項６記載の検体分析システムであって、
前記第２の温調手段が、前記第１の流路に接する前記反応流路の端部の液体、及び前記第２の流路に接する前記反応流路の端部の液体の温度を制御することを特徴とする検体分析システム。
【請求項８】
請求項６又は７記載の検体分析システムであって、
前記反応流路に注入された液体の反応状態を検出する検出手段が、該反応流路に対向配置されたことを特徴とする検体分析システム。
【請求項９】
請求項８記載の検体分析システムであって、
前記検出手段が、反応流路内の液体を励起して発した蛍光を測定することを特徴とする検体分析システム。
【請求項１０】
請求項６〜９のいずれか１項記載の検体分析システムに用いるマイクロ流体チップであって、
前記反応流路の上側に、試薬が乾燥状態で予め点着されたことを特徴とするマイクロ流体チップ。
【請求項１１】
請求項１０記載のマイクロ流体チップであって、
前記反応流路における前記第１の流路側から前記第２の流路側までの間の流路中央部に、試薬が乾燥状態で予め点着されたことを特徴とするマイクロ流体チップ。
【請求項１２】
請求項１０又は１１記載のマイクロ流体チップであって、
複数の前記反応流路が並設されたことを特徴とするマイクロ流体チップ。
【請求項１３】
請求項１０〜１２のいずれか１項記載のマイクロ流体チップであって、
前記反応流路における前記第１の流路側から前記第２の流路側までの間の流路中央部の流路高さが、該反応流路の中央部以外の高さよりも低くなるように、前記反応流路の上側壁面に勾配が設けられたことを特徴とするマイクロ流体チップ。
【請求項１４】
請求項１３記載のマイクロ流体チップであって、
前記勾配は、前記上側壁面が前記反応流路内部に突出する下凸形状の曲面で形成されたことを特徴とするマイクロ流体チップ。
【請求項１５】
請求項１０〜１４のいずれか１項記載のマイクロ流体チップであって、
前記反応流路の内壁面が、液体が流れる際に該液体により充填されない微小な隙間空間の形成を防止する連続した円滑面からなることを特徴とするマイクロ流体チップ。
【請求項１６】
請求項１０〜１５のいずれか１項記載のマイクロ流体チップであって、
前記反応流路の内壁面屈曲部の曲率半径が、２０μｍ以下であることを特徴とするマイクロ流体チップ。
【発明の詳細な説明】
【技術分野】
【０００１】
本発明は、各種サンプルを用いた分析や、化学反応を行う際などに用いるマイクロ流体チップの温調方法及び検体分析システム並びにマイクロ流体チップに関する。
【背景技術】
【０００２】
近年の分子生物学の進歩により、血液等の生体物質を分析することで、病気の治療における薬剤投与の効果や副作用の体質による個人差を予知することが可能であることが示されてきており、これを利用して、個人個人にとって最適な治療を施していこうという気運が高まっている。例えば、特定の遺伝子と、特定の治療薬剤の効果や副作用が強く相関することがわかっている場合、この情報を特定の患者の治療に役立てるためには、患者の遺伝子の塩基配列を知る必要がある。内因性遺伝子の変異又は一塩基多型（ＳＮＰ）に関する情報を得るための遺伝子診断は、そのような変異又は一塩基多型を含む標的核酸の増幅及び検出により行なうことができる。このため、サンプル中の標的核酸を迅速且つ正確に増幅及び検出し得る簡便な方法が求められる。
【０００３】
特にＰＣＲ（Polymerase Chain Reaction）法による核酸増幅反応は、バイオテクノロジー分野における基本技術となっている。ＰＣＲ法は、鋳型ＤＮＡ、プライマー、基質、耐熱性ポリメラーゼ酵素等を混合した反応液を温度調節し、所定の３種類の温度に順次変化させ、これを繰り返すことによって目的とするＤＮＡを増幅する方法である。具体的には、反応液を、二本鎖ＤＮＡを一本鎖ＤＮＡに解離させるディナチュレーション反応を行う温度に温調し、続いて一本鎖ＤＮＡにプライマーを会合させるアニーリング反応を行う温度に温調し、さらに続いて耐熱性ポリメラーゼ酵素による二本鎖伸長反応を行う温度に温調する。この様に、反応液を三段階の温度に順次温調することにより、ＤＮＡの増幅を行うことができる。
【０００４】
この種の技術として、例えば特許文献１に開示される核酸増幅基板がある。この核酸増幅基板は、基板の一部に反応液溜部が形成され、この反応液溜部内に核酸増幅反応に必要な成分を含む反応液が充填され、反応液溜部の温度を調節して反応液溜部内において核酸増幅反応を行い、核酸を増幅する。すなわち、核酸増幅基板は、ガラス板からなる第一層とシリコンゴムからなる第二層が積層されたものであり、第一層と第二層の間で空隙が形成、空隙のパターン（溝パターン）によって核酸増幅・分離流路が形成されている。核酸増幅・分離流路には反応液溜部が設けられ、反応液溜部は液供給路、液排出路に接続されている。そして、反応液供給路から反応液溜部へ一定量の液体を流入させ、この液体を一定時間加熱することで、所定の温度雰囲気とすることによってＤＮＡの増幅を可能としていた。
【０００５】
【特許文献１】特開２００６−１１５７４１号公報
【発明の開示】
【発明が解決しようとする課題】
【０００６】
しかしながら、上記した従来の核酸増幅基板は、流路の所定の位置（反応液溜部）に、一定量の液体を配置し、この液体を一定時間加熱するが、液体はその上流側と下流側で流路（液供給路、液排出路）に連通しており、加熱が進むにつれて蒸発が進み、液量が減少・濃縮されてしまうことがあった。このような液量の減少や濃縮が生じると、例えば蛍光検出によって反応液溜部の検査を行う場合に、安定した検出ができなくなる問題が生じた。
また、液体の上流側、下流側の流路は水分の蒸発と空気の膨張により気圧が上昇し、上流側と下流側の流路の気圧に差が生じてしまう。すなわち、加熱された反応液溜部からは液供給路と液排出路へは等しい熱量が伝わろうとするが、流路形状の違い等による熱容量の差から、両流路での温度、つまり流路内圧力に差異が発生し、反応液溜部の液体が動く現象が発生する。これにより図１１（ａ）に示すように、加熱している液体Ｌｑが反応液溜部１から液供給路３或いは液排出路５側へ動いてしまい、反応液溜部１で蛍光検出の検査を行っている場合には、上記と同様に安定した検出ができなくなる問題が生じた。
さらに、基板が樹脂成形材料からなる場合、反応液溜部１にウエルドライン等の樹脂充填不良部が存在したり、基板の溝に蓋材を接着する際に接着剤塗布ムラを生じたり、成形金型自体の精度不良等、何らかの原因により微小空間が形成されていると（図５（ａ）のウエルドラインＷＬ、面取り半径Ｒ参照）、反応流路液体導入時、上記原因により発生する微小空間内に液が流入せず、微小な濡れ残り、すなわち、微小な空気だまりができる（図５（ｂ）参照）。そして、この空気だまりが加熱により膨張、増大することによって気泡ｂが発生すれば（図５（ｃ）参照）、上記と同様に蛍光検出の精度が低下するという問題が生じた。図１１（ｂ）は、ウエルドラインが存在するときに気泡ｂ１が発生する様子、図１１（ｃ）は接着剤塗布ムラが存在するときに気泡ｂ２が発生する様子、図１１（ｄ）は流路断面における流路隅部の面取り半径Ｒが大きい場合に気泡ｂ３が発生する様子を示している。
【０００７】
本発明は上記状況に鑑みてなされたもので、マイクロ流体チップの流路内において一定量の液体を加熱して、所望の化学反応を得るに際し、蒸発に伴う液量の減少・濃縮、液の移動、気泡の発生が生じないマイクロ流体チップの温調方法及び検体分析システム並びにマイクロ流体チップを提供し、もって、検体の反応状態の安定した検出を図ることを目的とする。
【課題を解決するための手段】
【０００８】
本発明に係る上記目的は、下記構成により達成される。
（１）  微細な溝により形成された反応流路を有するマイクロ流体チップに対して、前記反応流路に溜められた液体の温度を制御するマイクロ流体チップの温調方法であって、
前記反応流路を所定の反応温度に加熱すると同時に、
前記反応流路の一端に連通する第１の流路と前記反応流路の他端に連通する第２の流路とを、加熱又は冷却によって前記所定の反応温度と異なる同一の温度に保持することを特徴とするマイクロ流体チップの温調方法。
【０００９】
このマイクロ流体チップの温調方法によれば、反応流路を液体で満たした後、第１の流路側から第２の流路側までの間の中央部を化学反応に必要な所望の温度で加熱し、それ以外の場所はこの温度と異なる温度に保たれるように温調することで、蒸発に伴う液量の減少・濃縮、液の移動が抑止され、反応流路の中央部でのみ進行する化学反応が逐次検査可能となる。
【００１０】
（２）  （１）項記載のマイクロ流体チップの温調方法において、
前記第１の流路と前記第２の流路とを、前記反応温度よりも低い温度に温調することを特徴とするマイクロ流体チップの温調方法。
【００１１】
このマイクロ流体チップの温調方法によれば、反応流路の中央部を化学反応に必要な所望の温度で加熱し、それ以外の場所は反応温度より低い温度に液温が保たれるように温調することで、複数の反応流路が並設される場合であっても、反応流路の両端部では化学反応が起きない、又は進行が極端に遅いので、隣接する流路からコンタミの影響を受けずに、複数の化学反応を独立して進行させることができる。しかも反応流路内の液体の蒸発を防止できる。
【００１２】
（３）  (２)項記載のマイクロ流体チップの温調方法において、
前記第１の流路と前記第２の流路とを、２０〜３０℃に温調することを特徴とするマイクロ流体チップの温調方法。
【００１３】
このマイクロ流体チップの温調方法によれば、第１の流路と第２の流路とを常温（２０〜３０℃）に温調することで、反応部との温度差を小さく抑え、反応部の温度が不安定になることを防止できる。
【００１４】
（４）  （１）〜（３）のいずれか１項記載のマイクロ流体チップの温調方法において、
前記第１の流路から前記反応流路へ液体が注入された後、
前記加熱前に、前記第１の流路から液体を排除して前記反応流路のみに液体を残留させることを特徴とするマイクロ流体チップの温調方法。
【００１５】
このマイクロ流体チップの温調方法によれば、加熱前に、第１の流路から液体が排除されることで、第１の流路及び第２の流路が無液状態となり、反応流路にのみ液体が残留することになる。したがって、反応流路の液体は、第１の流路及び第２の流路の空気層によって挟まれることとなり、隣接する流路からの反応の影響を受け難くなり、独立した化学反応の進行が可能となる。
【００１６】
（５）  （１）〜（４）のいずれか１項記載のマイクロ流体チップの温調方法において、
前記加熱の前に、前記第１の流路と前記第２の流路とに連通する開口部を密閉することを特徴とするマイクロ流体チップの温調方法。
【００１７】
このマイクロ流体チップの温調方法によれば、反応流路の加熱前に、反応流路両端側の開口部が密閉され、反応が密閉状態で行われる。つまり、第１、第２の流路が密閉空間になり、飽和水蒸気圧以上の蒸発は起こらず、液体の蒸発を抑える効果が得られると同時に、液体、例えば増幅されたＤＮＡがチップ外に流出して環境を汚染し、キャリーオーバーを生じさせる危険性が回避される。
【００１８】
（６）  微細な溝により形成された反応流路、及び該反応流路の一端に連通する第１の流路、及び前記反応流路の他端に連通する第２の流路を形成したマイクロ流体チップと、
前記反応流路に注入された液体の温度を制御する第１の温調手段と、
前記第１の流路と前記第２の流路の温度を制御する第２の温調手段と、
を具備したことを特徴とする検体分析システム。
【００１９】
この検体分析システムによれば、反応流路の液体を第１の温調手段によって所望の反応加熱に加熱する一方、この液体に接する第１の流路及び第２の流路を同一の温度に設定でき、流路形状の違い等により第１の流路及び第２の流路に熱容量の差がある場合であっても、流路内圧力が同一となる。
【００２０】
（７）  （６）項記載の検体分析システムであって、
前記第２の温調手段が、前記第１の流路に接する前記反応流路の端部の液体、及び前記第２の流路に接する前記反応流路の端部の液体の温度を制御することを特徴とする検体分析システム。
【００２１】
この検体分析システムによれば、第１の流路及び第２の流路に接する反応流路内の液体が同一温度に温調され、反応流路内の液体から第１の流路及び第２の流路へ熱が伝わらなくなり、第１の流路及び第２の流路の内圧力がより高精度に同一となる。つまり、反応流路内の液体の移動をより確実に抑止できる。
【００２２】
（８）  （６）項又は（７）項記載の検体分析システムであって、
前記反応流路に注入された液体の反応状態を検出する検出手段が、該反応流路に対向配置されたことを特徴とする検体分析システム。
【００２３】
この検体分析システムによれば、反応流路にセンサ等が露出せず、液体の汚染されることがない。
【００２４】
（９）  （８）項記載の検体分析システムであって、
前記検出手段が、反応流路内の液体を励起して発した蛍光を測定することを特徴とする検体分析システム。
【００２５】
この検体分析システムによれば、反応流路内の反応によって増幅された２本鎖ＤＮＡは、インターカレートされることにより、強い蛍光を発する。この蛍光強度が測定されることにより、ターゲットとする遺伝子配列の存在の有無が検出可能となる。
【００２６】
（１０）  （６）〜（９）のいずれか１項記載の検体分析システムに用いるマイクロ流体チップであって、
前記反応流路の上側に、試薬が乾燥状態で予め点着されたことを特徴とするマイクロ流体チップ。
【００２７】
このマイクロ流体チップによれば、反応流路が下面から加熱されると、液体の温度上昇に伴って溶解した試薬が重力により流路内下側に流動し、自然対流による試薬と液体とが混合される。
【００２８】
（１１）  （１０）項記載のマイクロ流体チップであって、前記反応流路における前記第１の流路側から前記第２の流路側までの間の流路中央部に、試薬が乾燥状態で予め点着されたことを特徴とするマイクロ流体チップ。
【００２９】
このマイクロ流体チップによれば、反応流路の乾燥試薬の点着された中央部だけが加熱され、反応流路の第１の流路側および第２の流路側には乾燥試薬が存在せず、かつ加熱もされないので、反応流路の第１、第２の流路側では化学反応が起きない、又は進行が極端に遅い。したがって、第１の流路内の液を抜かなくても複数の反応流路内の反応は相互干渉することはない。第１の流路の液を抜かなくてもよいことは、単に動作シーケンスを簡略化させる効果があるだけに留まらず、第１の流路の液を抜くときに反応流路内に液が保持されるための条件である、（第１の流路の相当管直径）＞（反応流路の相当管直径）の関係を無視することができ、第１の流路の液を抜くときと比べて第１の流路の相当管直径を小さくすることができる。結果的に、被検査液のデッドボリュームを小さくすることができる。
【００３０】
（１２）  （１０）項又は（１１）項記載のマイクロ流体チップであって、
複数の前記反応流路が並設されたことを特徴とするマイクロ流体チップ。
【００３１】
このマイクロ流体チップによれば、反応流路を複数本設け、それぞれの流路中央部に予め違う種類の被反応試薬をセットしておいて、複数の化学反応を同時に検査することができる。
【００３２】
（１３）  （１０）〜（１２）のいずれか１項記載のマイクロ流体チップであって、
前記反応流路における前記第１の流路側から前記第２の流路側までの間の流路中央部の流路高さが、該反応流路の中央部以外の高さよりも低くなるように、前記反応流路の上側壁面に勾配が設けられたことを特徴とするマイクロ流体チップ。
【００３３】
このマイクロ流体チップによれば、加熱の際に流路内に気泡が発生した場合でも、流路中央部に気泡が移動したり、滞留することが阻止され、また、中央部に発生した気泡は速やかに両端部方向に移動する。これにより、蛍光検出精度の低下が防止される。
【００３４】
（１４）  （１３）項記載のマイクロ流体チップであって、
前記勾配は、前記上側壁面が前記反応流路内部に突出する下凸形状の曲面で形成されたことを特徴とするマイクロ流体チップ。
【００３５】
このマイクロ流体チップによれば、下凸形状の曲面からなる勾配を反応流路に形成することで、気泡が発生した場合でも、気泡を円滑に端部へ移動させることができる。
【００３６】
（１５）  （１０）〜（１４）のいずれか１項記載のマイクロ流体チップであって、
前記反応流路の内壁面が、液体が流れる際に該液体により充填されない微小な隙間空間の形成を防止する連続した円滑面からなることを特徴とするマイクロ流体チップ。
【００３７】
このマイクロ流体チップによれば、流路内壁面が、微小な隙間空間の形成されない連続した円滑面からなり、加熱の際に流路内に気泡が発生しなくなる。これにより、蛍光検出精度の低下が防止される。
【００３８】
（１６）  （１０）〜（１５）のいずれか１項記載のマイクロ流体チップであって、
前記反応流路の内壁面屈曲部の曲率半径が、２０μｍ以下であることを特徴とするマイクロ流体チップ。
【００３９】
このマイクロ流体チップによれば、内壁面屈曲部の曲率半径が、２０μｍ以下となることで特に液体の流路表面に対する濡れ性が良くない（接触角が約５０°以上）場合、屈曲部に濡れ残りが生じ難くなり、濡れ残り部に空気が溜まり、加熱によってその空気が気泡となることがない。
【発明の効果】
【００４０】
本発明に係るマイクロ流体チップの温調方法によれば、反応流路を所定の反応温度に加熱すると同時に、反応流路の一端に連通する第１の流路と反応流路の他端に連通する第２の流路とを、加熱又は冷却によって所定の反応温度と異なる同一の温度に保持するので、マイクロチップの流路内において一定量の液体を加熱して、所望の化学反応を得るに際し、蒸発に伴う液量の減少・濃縮、液の移動を抑止することができる。これにより、反応流路の中央部でのみ進行する化学反応を、加熱しながら逐次その場で状態を検査（例えば蛍光検出）することができる。この結果、検体の反応状態の安定した検出を実現できる。
【００４１】
本発明に係る検体分析システムによれば、反応流路、第１の流路、及び第２の流路を形成したマイクロ流体チップと、反応流路に注入された液体の温度を制御する第１の温調手段と、第１の流路と第２の流路の温度を制御する第２の温調手段とを備えたので、反応流路の液体を第１の温調手段によって所望の反応温度に加熱する一方、この液体に接する第１の流路及び第２の流路を同一の温度に設定できる。これにより、流路形状の違い等により第１の流路及び第２の流路に熱容量の差がある場合であっても、両流路での温度、つまり流路内圧力を同一にでき、反応液溜部の液体が動く現象を防止することができる。
【００４２】
本発明に係るマイクロ流体チップによれば、反応流路の上側中央部に、試薬が乾燥状態で予め点着されたので、マイクロチップ使用状態では反応流路の上側に試薬が配置され、下面から加熱されることにより、液体の温度上昇に伴って溶解した試薬が重力により流路内下側に流動し、自然対流による試薬・液体の良好な混合が可能となる。
また、乾燥試薬のあるところだけが加熱され、反応流路の第１、第２の流路側には乾燥試薬が存在せず、かつ加熱もされていないので、反応流路の第１、第２の流路側では化学反応が起きないか、又は進行が極端に遅くなる。従って、第１の流路の液を抜かなくても複数の反応流路内の反応は相互干渉することがなく、送液動作シーケンスが簡略化される。さらに、第１の流路の液を抜くときに反応流路内に液が保持されるための寸法条件を無視することができ、第１の流路の液を抜く場合と比べて第1流路の相当管直径を小さくすることができる。結果的に、被検査液のデッドボリュームを小さくすることができる。
【発明を実施するための最良の形態】
【００４３】
以下、本発明に係るマイクロ流体チップの温調方法及び検体分析システム並びにマイクロ流体チップの好適な実施の形態について、図面を参照して詳細に説明する。
図１は本発明に係る検体分析システムのブロック図、図２はマイクロ流体チップ保持部の平面視を（ａ）、そのＡ−Ａ断面視を概略的に（ｂ）に表した要部説明図である。
本実施の形態において、検体分析システム１００には、検体注入されたマイクロ流体チップ（以下、単に「チップ２００」とも称す。）２００がセットされる。マイクロ流体チップ２００は、検体分析システム１００にセットされることで、チップ外部からの物理的作用力によって注入された検体液がハンドリングされ、例えば一塩基多型の複数ターゲット遺伝子が検査される。これにより、例えば、標的核酸を増幅してこれを検出することで、感染症の原因となる病原体に特異的な標的核酸の増幅及び検出が可能となり、検体中の該病原体の存否等が判定可能となる。
【００４４】
本実施の形態において、物理的作用力は、チップ２００の図２に示す流路１１の始点と終点に設けた複数のポート１３，１５，１７からエア供給又はエア吸引することにより発生する空気圧作用力（空圧駆動力）である。したがって、流路１１に供給された液体が、流路の始点と終点とに作用されるエア供給又はエア吸引により、流路内の所望位置へ移動制御可能となる。
【００４５】
図１及び図２に示すように、検体分析システム１００には、作動流体として空気が使用されるポンプＰＭＰと、バルブＳＶと、ポンプＰＭＰからの空圧駆動力をバルブＳＶを介してポート１３，１５，１７に接続するポートコネクタ１９と、第１の温調手段である検体加熱部（ヒータ）２１と、第２の温調手段である温調器２３と、反応流路に注入された液体の反応状態を検出する検出手段としての蛍光検出部２５と、マイクロ流体チップ２００を位置決めする位置決め機構２７と、これらに接続され検出信号が入力され、或いは制御信号を送出する制御部２９と、が基本構成要素として設けられている。
【００４６】
マイクロ流体チップ２００は、図中下側面となる平板面３１に微細な溝を形成し、蓋材３３を平板面３１に貼り合わせることで平面板内に形成した微細な流路１１である反応流路３５、及び反応流路３５の一端に連通する第１の流路３７、及び反応流路３５の他端に連通する第２の流路３９を形成する。
【００４７】
ヒータ２１は、反応流路３５に注入された液体の温度を制御する。ヒータ２１としては、ハロゲンランプ等の発光するもの以外であれば、抵抗加熱体等、何れのものであってもよい。これは、蛍光検出部２５の外乱を防止するためである。温調器２３は、第１の流路３７と第２の流路３９の温度を制御する。本実施の形態において、温調器２３は、ヒータ２１を包囲するようにして設けられるが、図２において左右別体のものであってもよい。温調器２３としては、例えば水冷ヒートシンク、ペルチェ素子等を用いることができる。
【００４８】
ＤＮＡ増幅反応は、等温増幅反応により、使用する酵素の活性が一定に維持できる温度に保たれる。ここで、「等温」とは、酵素およびプライマーが実質的に機能しうるような、ほぼ一定の温度をいう。さらに、「ほぼ一定の温度」とは、酵素及びプライマーの実質的な機能を損なわない程度の温度変化であれば許容されることを意味する。
【００４９】
検体分析システム１００では、反応流路３５に注入された液体がヒータ２１によって所望の反応温度に加熱される一方、この液体に接する第１の流路３７及び第２の流路３９が同一の温度に設定される。これにより、流路形状の違い等により第１の流路３７及び第２の流路３９に熱容量の差がある場合であっても、流路内圧力が同一となる。
【００５０】
位置決め機構２７は、マイクロ流体チップ２００を上方より押圧して、保持可能としている。このときヒータ２１、温調器２３が確実にマイクロ流体チップ２００と接触するように、いずれか一方（本実施の形態ではヒータ２１）は、ばね機構４３等によりチップ２００に弾性的に押し当てるのがよい。また、ヒータ２１、温調器２３の熱を確実にチップ２００に伝えるためにはチップ２００との密着性（接触面積）を高めるのがよく、ヒータ２１、温調器２３の上面には熱伝導性の良い弾性シート材等を配設することが好ましい。
【００５１】
また、温調器２３は、第１の流路３７に接する反応流路３５の端部の液体Ｌｑ１、及び第２の流路３９に接する反応流路３５の端部の液体Ｌｑ２の温度を制御するものであることが好ましい。第１の流路３７、第２の流路３９に接する反応流路３５内の液体Ｌｑ１，Ｌｑ２が同一温度に温調されることで、反応流路３５内の液体Ｌｑから第１の流路３７及び第２の流路３９へ偏って熱が伝わらなくなり、第１の流路３７及び第２の流路３９の内圧力がより高精度に同一となる。これにより、反応流路３５内の液体の移動をより確実に抑止できる。
【００５２】
蛍光検出部２５は、反応流路３５に対向配置されることで、反応流路３５に露出せず、液体を汚染することがない。蛍光検出部２５は、反応流路３５内の液体が励起して発した蛍光を測定する。すなわち、反応流路３５内の反応によって増幅された２本鎖ＤＮＡは、インターカレートされることにより、強い蛍光を発する。この蛍光強度が測定されることにより、ターゲットとする遺伝子配列の存在の有無が検出可能となる。
【００５３】
すなわち、反応流路３５は、蛍光検出部２５により、約４９０ｎｍの波長で励起され、インターカレートしたサイバーグリーンの約５２０ｎｍの蛍光が測定されることにより、ターゲットＤＮＡの増幅が確認される。したがって、ターゲットとする核酸配列が存在する場合には、蛍光強度の増加が確認され、存在しない場合には蛍光強度の増加が確認されない。
【００５４】
この検体分析システム１００によれば、反応流路３５、第１の流路３７、及び第２の流路３９を形成したマイクロ流体チップ２００と、反応流路３５に注入された液体の温度を制御するヒータ２１と、第１の流路３７と第２の流路３９の温度を制御する温調器２３とを備えたので、反応流路３５の液体をヒータ２１によって所望の反応温度に加熱する一方、この液体に接する第１の流路３７及び第２の流路３９を同一の温度に設定できる。これにより、流路形状の違い等により第１の流路３７及び第２の流路３９に熱容量の差がある場合であっても、両流路での温度、つまり流路内圧力を同一にでき、反応流路３５の液体が動く現象を防止することができる。
【００５５】
次に、マイクロ流体チップ２００について説明する。
図３は図２のＡ−Ａ断面視におけるマイクロ流体チップの詳細を（ａ）、その平面視を（ｂ）に表したマイクロ流体チップの要部拡大図、図４は試薬の点着された反応流路の断面視を（ａ）、その拡大視を（ｂ）に表した試薬混合状況の説明図、図５は反応流路における気泡発生過程を（ａ）〜（ｃ）で表した説明図である。
マイクロ流体チップ２００の基板４１は、外形が例えば縦横が５５×９１ｍｍであり、厚みｔ１が２ｍｍ程度で形成される。
【００５６】
基板４１は、熱可塑性の高分子ポリマーの射出成形により製作される。使用する高分子ポリマーは、特に限定されないが、光学的に透明であり、耐熱性が高く、化学的に安定であり、射出成形が容易なものが望ましく、ＣＯＰ（シクロオレフィン・ポリマー）、ＣＯＣ（シクロオレフィン・コポリマー）、ＰＭＭＡ（メタクリル酸メチル樹脂）等が好適である。光学的に透明とは、検出に用いる励起光や蛍光の波長において透過性が高く、散乱が小さく、自家蛍光が少ないことである。チップ２００は、蛍光を検出可能とする透光性を有することで、検出試薬に例えばサイバーグリーンが用いられ、反応によって増幅された２本鎖ＤＮＡにインターカレートすることで発する蛍光が測定可能となる。
【００５７】
図３に示すように、マイクロ流体チップ２００は、より具体的に、反応流路３５上方の掘り込み部４５の深さｔが０．５ｍｍ、反応流路３５の流路中央部となる反応部４７の深さｈ２が１ｍｍ、反応部４７左右の接続管部４９ａ，４９ｂの深さｈ１が０．５ｍｍ、接続管部４９ｂと第２の流路３９とを連通させる細管５１の深さｈ３が０．１ｍｍ、反応流路３５の長さＬ１が１６ｍｍ、一方の接続管部４９ａの長さＬ２が５．６５ｍｍ、反応部４７の長さＬ４が４ｍｍ、他方の接続管部４９ｂの長さＬ３が５．７５ｍｍ、第１の流路３７の幅Ｗ１が０．５ｍｍ、接続管部４９ａ，４９ｂの幅Ｗ３が０．３ｍｍ、細管５１の幅Ｗ４が０．１ｍｍ、第２の流路３９の幅Ｗ２が０．５ｍｍ、反応部４７の拡幅角度αが６０°で形成される。
【００５８】
本実施の形態では、反応流路３５が図２に示したように、複数並設されている。それぞれの反応流路３５は、図３に示したように、第１の流路３７に接続管部４９ａを介して接続され、第２の流路３９に細管５１、接続管部４９ｂを介して接続されている。これら複数の反応流路３５のそれぞれの反応部４７には、予め違う種類の被反応試薬がセットされている。これにより、複数の化学反応が同時に検査可能となっている。
【００５９】
図４に示すように、各反応部４７ａ，４７ｂ，４７ｃの上側には試薬５３ａ，５３ｂ，５３ｃが乾燥状態で予め点着されている。すなわち、ターゲットＤＮＡのプライマーとゼラチンの水溶解液が点着後乾燥固化、固定されている。反応流路３５を６０℃に加熱することにより、固化したゼラチンが溶解し、反応部４７に分散し、等温増幅反応が行われる。プライマーの水溶液のみを反応部４７に点着し、乾燥固定化することもできるが、この場合、反応部内に液体が流入した際に、プライマーが流れ方向に流されてしまい、反応部内での反応、検出が行えない。このため、常温の水溶液では溶解しにくいゼラチンを０．５％含有させて点着、固化している。
【００６０】
プライマーとゼラチンの水溶液は反応部４７の上側に点着固定しており、マイクロチップ使用状態では図４に示すように、流路の上面に配置されている。液体が流入後、蓋材３３側すなわち下面から加熱されることにより、図４（ｂ）に示すように、液体の温度上昇に伴って溶解した試薬５３を含むゼラチンｇｅは、その比重が大きいため重力により反応部４７の下側に流動する。また、液体は下面より加熱されることにより、反応部４７内で対流５５を起こす。このゼラチンｇｅの重力による下側への流動と、液体の加熱による対流５５の相乗効果により、試薬５３及びゼラチンｇｅは反応部４７内に短時間で均一に混合拡散される。
【００６１】
ところで、流路１１（図２参照）、特に反応流路３５は、蓋材３３の貼着される図５に示す溝の隅部形状が重要となる。反応流路３５に試薬を導入する際に、図５（ａ）に示す隅部に面取り半径Ｒがあると、図５（ｂ）に示すように、その部分が試薬と触れずに残ってしまう。その残った部分は空気５７が溜まった状態になり、この状態で加熱すると、図５（ｃ）に示すように、空気５７が膨張し、大きな気泡ｂとなる。この気泡ｂにより誤検出が生じたり、液を外に押し出してしまったりする不具合が発生する。
【００６２】
そこで、気泡ｂによる誤検出を防止するには、反応流路３５における第１の流路３７側から第２の流路３９側までの間の流路中央部の流路高さが、該反応流路の中央部以外よりも低くなるような勾配を設けるとよい。このように反応流路３５内の上側壁面に勾配を設けた構成を説明する。
図６に反応流路３５の中央部における拡大断面図を示した。
反応流路３５の中央部となる反応部４７は、流路高さが中央部以外の領域より低くされている。つまり、反応流路の上側壁面は、半径Ｒ１で流路内部に突出する下凸形状の曲面５１で形成される。この曲面５１両端における上側壁面の平坦面との接続部分５３ａ，５３ｂの間隔Ｌａは、前述の反応部４７の長さＬ４と略等しい程度にされている。曲面５１が反応部４７の略全領域に形成されることで、仮に反応流路３５内に気泡が発生しても、反応部４７においては、発生した気泡が曲面５１に沿って流路の上方へ速やかに移動する。その結果、気泡は接続部分５３ａ、５３ｂに溜まるか、あるいは、反応流路３５の他の領域に流れ、反応部４７の観察位置（反応流迂路の中央位置）に気泡が移動したり、滞留することはない。よって、反応部４７における蛍光検出の際に、気泡による誤検出や液を外に押し出す等の不具合の発生がなくなり、蛍光検出精度の低下が防止される。
【００６３】
図７には、図６に示す反応流路３５に設ける勾配の他の構成例を示した。
この構成では、前述の図３（ａ）に示す反応流路３５の形状に近いが、反応部４７における反応流路３５の上側壁面が、図６と同様の半径Ｒ２で流路内部に突出する下凸形状の曲面５５とされている。この曲面５５の両端における端部５７ａ，５７ｂは、斜面５９ａ，５９ｂにより基板４１を窪ませて流路高さを増やす位置に形成されている。端部５７ａ，５７ｂは微小な曲面で形成され、曲面５５の中央部より流路高さの高い位置に形成されるために、気泡を収容するポケットとなる。上記構成によれば、反応部４７の容量を大きく保ちつつ、気泡が反応部４７の観察位置に移動したり、滞留することを防止できる。
【００６４】
ここで、図６，７における曲面５１，５５は、曲面形状に限らず、気泡が反応部４７の観察位置に移動しない形状、または滞留しない形状であればいかなる形状であってもよい。例えば、２つの傾斜面が反応部４７の中央で接続される下凸形状としてもよく、あるいは１つの傾斜面が反応部４７の略全体に渡って形成された構成としてもよい。
【００６５】
上記のような気泡発生の問題は、主にチップ２００の基板４１を樹脂成形で製作する場合に発生する。金型を直接エンドミル等で加工すると、エンドミルの角部に小さいものでも半径２０μｍ程度の曲面があるため、金型自体のこの部分の流路溝の蓋材３３側の角部に相当する部分に曲面が形成されてしまう。また、成形条件によっては、樹脂が角部に十分行き渡らずに充填不足になり、それ以上に大きな曲面が成形品にできてしまう。そのため、半径Ｒは２０μｍ以下、好ましくは５μｍ以下がよい。半径Ｒを上記範囲にすることで、気泡の発生が防止できる。
【００６６】
また、マイクロ流体チップ２００を樹脂成形で製作する場合には、成形時の樹脂流動の仕方により、流路底面にウエルドラインと呼ばれる溝ＷＬができる場合がある。反応流路３５にこのウエルドラインによる溝ＷＬがあると、上記と同様な原理で大きな気泡ｂが発生してしまう。この溝ＷＬの深さも、半径Ｒと同様に２０μｍ以下、好ましくは５μｍ以下が良い。
【００６７】
このように、流路１１における内壁面の屈曲部の曲率半径が、２０μｍ以下となることで、特に液体の流路表面に対する濡れ性が良くない（接触角が約５０°以上）場合でも、屈曲部に濡れ残りが生じ難くなり、濡れ残り部に空気５７が溜まり、加熱によってその空気５７が気泡ｂとなることを効果的に防止することができる。換言すれば、流路１１の内壁面は、液体が流れる際にこの液体により充填されない微小な隙間空間の形成を防止する連続した円滑面からなればよい。これにより、加熱の際に流路内に気泡ｂが発生しなくなり、蛍光検出精度の低下が防止される。
【００６８】
マイクロ流体チップ２００は、平板面３１に、蓋材３３が貼着されることで流路１１が形成される。蓋材３３は、平板面３１へ接着剤や粘着剤により接合される。蓋材３３としては、基板４１と同様、光学的に透明であり、耐熱性が高く、化学的に安定であるシート状の高分子ポリマーを用いる。本実施の形態では、１００μｍの厚みのＰＣＲ用プレートシールを用いた（プラスチックフィルムに粘着剤が塗布されている）。
【００６９】
また、マイクロ流体チップ２００は、反応物質が外部に漏れると不具合が生じる場合には、内部を密閉状態にするために、粘着テープ等のシール材ですべてのポート１３，１５，１７を塞ぐことが好ましい。すなわち、マイクロ流体チップ２００は、所望の搬送が完了した時点で、ポート１３，１５，１７からポートコネクタ１９を脱離し、粘着テープを貼り付けることにより、チップ２００を密閉状態にする。つまり、反応流路３５の加熱前に、反応流路３５に対する開口部、すなわち、第１の流路３７及び第２の流路３９が密閉され、反応が密閉状態で行われる。よって、第１の流路３７と第２の流路３９との間が密閉空間になり、飽和水蒸気圧以上の蒸発は起こらず、液体の蒸発を抑える効果が得られる。
チップ２００を密閉しない状態で増幅反応を行った場合、増幅されたＤＮＡがチップ外に流出して環境を汚染し、キャリーオーバーの危険性があるが、増幅反応前にチップ２００の流路を密閉状態にすることでこれを防止できる。チップ２００の流路を密閉するシール方法としては、上記の粘着テープを貼り付ける方法以外に、密閉性のあるキャップにより栓をする方法や、ＵＶ硬化樹脂をポート１３，１５，１７に流し込んでからＵＶ光を照射して固化させる等、公知の密閉方法を用いることができる。
【００７０】
したがって、このマイクロ流体チップ２００によれば、反応流路３５の第１の流路３７側から第２の流路３９側までの間の流路中央部における上側面に、試薬５３が乾燥状態で予め点着されたので、マイクロチップ使用状態では反応流路３５の上側に試薬５３が配置され、下面から加熱されることにより、液体Ｌｑの温度上昇に伴って溶解した試薬５３が重力により流路内下側に流動し、自然対流による試薬・液体の良好な混合が可能となる。
【００７１】
次に、上記した検体分析システム１００、マイクロ流体チップ２００による検体分析方法について説明する。
図８は反応流路への液体注入時の動作説明図で（ａ）は平面図、（ｂ）は反応流路の断面図である。図９は第１の流路からの液体排除時の動作説明図で（ａ）は平面図、（ｂ）は反応流路の断面図である。また、図１０は反応流路及びその近傍の温度分布を表したグラフである。
先ず、検体分析システム１００の位置決め機構２７に、マイクロ流体チップ２００を位置決め保持する。この状態で温調器２３を常温（例えば２５℃）に温調する。次に、ポート１３より所定の量の試薬を入れ、第１の流路３７に導入する。
【００７２】
試薬がポート１５の手前まで到達したら搬送を停止する。次に、ポート１７に接続したポートコネクタ１９（図１参照）をポンプＰＭＰにより減圧し、図８に示すように、反応流路３５に試薬を導入する。次に、ポート１７を閉じ、ポート１５に接続したポートコネクタ１９をポンプＰＭＰにより加圧し、図９に示すように、第１の流路３７に残存した試薬をポート１３に押し返す。
【００７３】
その後、ヒータ２１を化学反応に必要な温度（本実施の形態では６０℃）に温調し、反応を開始させる。第１の流路３７、第２の流路３９が温調器２３によって２５℃に保持され、反応流路３５が６０℃に保持されることで、基板４１上は、図２のＹ方向に沿った第１の流路３７の接続管部４９ａ、反応流路３５、第２の流路３９の接続管部４９ｂの各位置が図１０に示す温度分布となる。そして、第１の流路３７の接続管部４９ａ、第２の流路３９の接続管部４９ｂは共に２５℃に設定されているため、反応流路３５両端からの蒸発は極めて少なく、反応流路３５内の試薬が減少することはない。また、第１の流路３７と第２の流路３９の空気の温度上昇がないことと、反応流路３５からの蒸発が無視できるほど小さいことにより、管路内の気圧が上昇しないため、反応流路３５の両端で圧力差が生じることがなく、試薬が反応流路３５から漏れ出すことはない。
【００７４】
なお、上記した第１の流路３７に残存した試薬をポート１３に押し返す操作は必ずしも必要ではない。複数の反応流路３５の反応部４７で、それぞれ別の種類の化学反応を行う場合でも、被反応試薬は反応部４７にのみ点着されており、かつ加熱する部位は反応部４７のみなので、化学反応が両端に進んでいく速度は無視できるほど遅い。したがって、複数の反応流路３５に分注した試薬が第１の流路３７を介して繋がっている場合でも、それぞれの反応に影響を及ぼすことはない。
つまり、このマイクロ流体チップによれば、第１の流路３７内の液を抜かなくても複数の反応流路３５内の反応は相互干渉することはない。また、第１の流路３７の液を抜かなくてもよいことは、動作シーケンスを簡略化させる効果がある上に、第１の流路３７の液を抜くときに反応流路内３５に液が保持されるための条件（第１の流路の相当管直径）＞（反応流路の相当管直径）の関係を無視することができる。よって、第１の流路３７の液を抜くときと比べて第１の流路３７の相当管直径を小さくすることができ、その結果、被検査液のデッドボリュームを小さくすることができる。
【００７５】
このマイクロ流体チップ２００の温調方法によれば、反応流路３５を所定の反応温度（６０℃）に加熱すると同時に、反応流路３５の一端に連通する第１の流路３７と反応流路３５の他端に連通する第２の流路３９とを、加熱又は冷却によって所定の反応温度と異なる同一の温度（本実施の形態では２５℃としており、反応温度より低い温度である２０以上、３０℃以下の範囲とすることがよい）に保持するので、チップ２００の流路内において一定量の液体を加熱して、所望の化学反応を得るに際し、蒸発に伴う液量の減少・濃縮、液の移動を抑止することができる。これにより、反応流路３５の反応部４７でのみ進行する化学反応を、加熱しながら逐次その場で状態を検査（例えば蛍光検出）することができる。この結果、検体の安定した検出を実現できる。第１の流路３７と第２の流路３９とを２０℃より低い常温以下に温調すると、マイクロ流体チップ２００の表面に露が発生して反応流路３５の検出に支障があり、３０℃より高い温度に温調すると、液の移動防止効果が薄れるようになる。また、第１の流路３７、第２の流路３９と、反応部４７との温度差を小さく抑えることで、反応部４７の温度が不安定になることを防止できる。
【図面の簡単な説明】
【００７６】
【図１】図１は本発明に係る検体分析システムのブロック図である。
【図２】マイクロ流体チップ保持部の平面視を（ａ）、そのＡ−Ａ断面視を概略的に（ｂ）に表した要部説明図である。
【図３】図２のＡ−Ａ断面視におけるマイクロ流体チップの詳細を（ａ）、その平面視を（ｂ）に表したマイクロ流体チップの要部拡大図である。
【図４】試薬の点着された反応流路の断面視を（ａ）、その拡大視を（ｂ）に表した試薬混合状況の説明図である。
【図５】反応流路における気泡発生過程を（ａ）〜（ｃ）で表した説明図である。
【図６】反応流路の中央部における拡大断面図である。
【図７】図６に示す反応流路に設ける勾配の他の構成例を示す拡大断面図である。
【図８】反応流路への液体注入時の動作説明図で（ａ）は平面図、（ｂ）は反応流路の断面図である。
【図９】第１の流路からの液体排除時の動作説明図で（ａ）は平面図、（ｂ）は反応流路の断面図である。
【図１０】反応流路及びその近傍の温度分布を表したグラフである。
【図１１】従来の流路内における不具合（ａ）〜（ｄ）を示す説明図である。
【符号の説明】
【００７７】
２１  ヒータ（第１の温調手段）
２３  温調器（第２の温調手段）
２５  蛍光検出部（検出手段）
３１  平板面
３３  蓋材
３５  反応流路
３７  第１の流路
３９  第２の流路
５１，５５  下凸形状の曲面
１００  検体分析システム
２００  マイクロ流体チップ
Ｌｑ  液体
Ｌｑ１  第１の流路に接する反応流路の端部の液体
Ｌｑ２  第２の流路に接する反応流路の端部の液体
【図１】
2008151772.tif 000003
【図２】
2008151772.tif 000004
【図３】
2008151772.tif 000005
【図４】
2008151772.tif 000006
【図５】
2008151772.tif 000007
【図６】
2008151772.tif 000008
【図７】
2008151772.tif 000009
【図８】
2008151772.tif 000010
【図９】
2008151772.tif 000011
【図１０】
2008151772.tif 000012
【図１１】
2008151772.tif 000013